(57)【要約】【課題】構造が単純で組み立てが容易な医療用コネクタを提供する。【解決手段】医療用コネクタ１００は、一方端にメス型ルアーコネクタ２０１、他方端にオス型ルアーコネクタ２０２を有するコネクタ本体２００と、中空本体３０１の一端にスリット３０３を有した弁頭部３０２を備えてなる弾性変形可能なバルブステム３００と、を備え、メス型ルアーコネクタ２０１にオス部品を接続したときに、バルブステム３００が弾性変形してスリット３０３が開き、液体の通過が可能になる。ここで、オス型ルアーコネクタ２０２のオスルアー２３１の中空部２３１ａに連続する中空部２３８ａを有し、メス型ルアーコネクタ２０１に向けて延びる筒状嵌合部２３８をコネクタ本体２００に設け、バルブステム３００の中空本体３０１内に筒状嵌合部２３８を嵌挿し、筒状嵌合部２３８の中空部２３８ａを介してバルブステム３００の中空部３０１ａ内とオス型ルアーコネクタ２０２のオスルアー２３１の中空部２３１ａとを連通させる。【選択図】図１
2011172615.tif 000002
【特許請求の範囲】
【請求項１】
一方端にメス型ルアーコネクタ、他方端にオス型ルアーコネクタを有するコネクタ本体と、中空本体の一端にスリットを有した弁頭部を備えてなる弾性変形可能なバルブステムと、を備え、
前記メス型ルアーコネクタにオス部品を接続したときに、前記オス部品が前記バルブステムの弁頭部を押すことで前記バルブステムが弾性変形して前記スリットが開き、前記スリットを介して前記メス型ルアーコネクタと前記オス型ルアーコネクタとが連通し、
前記オス部品を解放したときに、前記バルブステムが元に戻って、前記メス型ルアーコネクタの液体通路に、前記スリットが閉じた状態で前記弁頭部が嵌合し、前記メス型ルアーコネクタの液体通路を閉塞する医療用コネクタであって、
前記オス型ルアーコネクタの液体通路に連続する中空部を有し、前記メス型ルアーコネクタに向けて延びる筒状嵌合部を前記コネクタ本体に設け、
前記バルブステムの中空本体内に前記筒状嵌合部を嵌挿し、前記筒状嵌合部の中空部を介して前記バルブステムの中空部内と前記オス型ルアーコネクタの液体通路とを連通させる医療用コネクタ。
【請求項２】
前記オス型ルアーコネクタのオスルアーの基部を構成するフランジの裏面に前記筒状嵌合部を立設すると共に、前記フランジの裏面に前記コネクタ本体の中空本体の軸方向端面が当接し、前記フランジを固定端として前記バルブステムが弾性変形する請求項１記載の医療用コネクタ。
【請求項３】
前記バルブステムの中空本体の外周を、軸方向に沿って波打つ波型に形成し、前記弁頭部が前記オス部品で押されたときに、前記バルブステムの中空本体が、少なくとも前記波型部分で軸方向に潰れる請求項１記載の医療用コネクタ。
【請求項４】
前記コネクタ本体が、前記メス型ルアーコネクタを備えたメス側部品と、前記オス型ルアーコネクタ及び筒状嵌合部を備えたオス側部品との２部品からなる請求項１〜３のいずれか１つに記載の医療用コネクタ。
【発明の詳細な説明】
【技術分野】
【０００１】
本発明は、医療用コネクタに関し、詳しくは、コネクタ本体と、コネクタ本体内に配置した弾性変形可能なバルブステムとを備えた医療用コネクタに関する。
【背景技術】
【０００２】
従来、医療用コネクタとして、特許文献１に開示されるように、入口端部と出口端部とを有する筒状本体と、筒状本体内に配置した中空ピンと、弾性頭部及び弾性中空部を有するシール部材とを備え、液導入器を入口端部に挿入したときに、シール部材の弾性頭部に形成したスリットが開口し、開口したスリットを介して、入口端部を、開口したスリット，中空ピンの横孔及び中空ピンの中空内を介して出口端部に連通させる医療用コネクタが知られている。
【先行技術文献】
【特許文献】
【０００３】
【特許文献１】特表２００８−５０８０１６号公報
【発明の概要】
【発明が解決しようとする課題】
【０００４】
しかし、従来の医療用コネクタは、コネクタ本体及びシール部材の他に、中空ピンを必要とし、また、中空ピンの横孔から液を中空ピン内に導入させるために、中空ピンの閉塞末端部に軸方向及び径方向に突出する突出部を設け、この突出部によって流体通路を形成するようにしている。このため、コネクタを構成する部品点数が多く、また、部品の形状が複雑になってしまい、更に、複雑な形状の多数部品を組み立てることから組み立ての作業性が悪いという問題があった。
【０００５】
そこで、本発明の目的は、構造が単純で組み立てが容易な医療用コネクタを提供することを目的とする。
【課題を解決するための手段】
【０００６】
そのため、本発明に係る医療用コネクタは、一方端にメス型ルアーコネクタ、他方端にオス型ルアーコネクタを有するコネクタ本体と、中空本体の一端にスリットを有した弁頭部を備えてなる弾性変形可能なバルブステムと、を備え、前記メス型ルアーコネクタにオス部品を接続したときに、前記オス部品が前記バルブステムの弁頭部を押すことで前記バルブステムが弾性変形して前記スリットが開き、前記スリットを介して前記メス型ルアーコネクタと前記オス型ルアーコネクタとが連通し、前記オス部品を解放したときに、前記バルブステムが元に戻って、前記メス型ルアーコネクタの液体通路に、前記スリットが閉じた状態で前記弁頭部が嵌合し、前記メス型ルアーコネクタの液体通路を閉塞する医療用コネクタであって、前記オス型ルアーコネクタの液体通路に連続する中空部を有し、前記メス型ルアーコネクタに向けて延びる筒状嵌合部を前記コネクタ本体に設け、前記バルブステムの中空本体内に前記筒状嵌合部を嵌挿し、前記筒状嵌合部の中空部を介して前記バルブステムの中空部内と前記オス型ルアーコネクタの液体通路とを連通させるようにした。
【０００７】
ここで、前記オス型ルアーコネクタのオスルアーの基部を構成するフランジの裏面に前記筒状嵌合部を立設すると共に、前記フランジの裏面に前記コネクタ本体の中空本体の軸方向端面が当接し、前記フランジを固定端として前記バルブステムが弾性変形するよう構成することができる。
また、前記バルブステムの中空本体の外周を、軸方向に沿って波打つ波型に形成し、前記弁頭部が前記オス部品で押されたときに、前記バルブステムの中空本体が、少なくとも前記波型部分で軸方向に潰れるようにするとよい。
【０００８】
また、前記バルブステムの中空本体の外周にフランジ部を一体的に形成する一方、前記コネクタ本体の前記メス型ルアーコネクタ側に、軸方向において前記フランジ部に対向するステップ面を形成し、前記フランジ部と前記ステップ面との当接によって前記中空本体の前記メス型ルアーコネクタに向けた変位を制限するとよい。
更に、前記コネクタ本体を、前記メス型ルアーコネクタを備えたメス側部品と、前記オス型ルアーコネクタ及び筒状嵌合部を備えたオス側部品との２部品で構成することができる。
【発明の効果】
【０００９】
本発明に係る医療用コネクタは、コネクタ本体及びバルブステムからなり、部品点数が少なく、また、バルブステムの弁頭部のスリット，バルブステムの中空本体内及び該中空本体内に嵌挿させた筒状嵌合部を介し、メス型ルアーコネクタとオス型ルアーコネクタとの間で液体を通過させるので、構造が簡単で、各部品の形状を単純にでき、組み立てを容易に行える。更に、バルブステムの中空本体内に、オス型ルアーコネクタの液体通路に連続する中空部を有する筒状嵌合部を嵌挿させるので、コネクタ本体に対してバルブステムを位置決めし、コネクタ本体に対するバルブステムの組み付けを容易に行うことができ、かつ、バルブステムが弾性変形したときに液体流路の確保を図ることができる。
【図面の簡単な説明】
【００１０】
【図１】本発明に係る医療用コネクタの実施形態を示す図であり、（Ａ）は医療用コネクタの上面図、（Ｂ）は医療用コネクタの側面断面図、（Ｃ）が医療用コネクタの側面外観図である。
【図２】前記実施形態の医療用コネクタの分解図である。
【図３】前記実施形態の医療用コネクタを構成するバルブステムを示す図であり、（Ａ）はバルブステムの上面図、（Ｂ）はバルブステムの側面断面図である。
【図４】前記実施形態の医療用コネクタのメス型ルアーコネクタに対するオス部品の解放状態及び接続状態を示す図であり、（Ａ）はオス部品の解放状態を示す側面断面図、（Ｂ）はオス部品の接続状態を示す側面断面図である。
【発明を実施するための形態】
【００１１】
以下、本発明に係る医療用コネクタの実施形態を、図面に基づいて説明する。
図１は、実施形態の医療用コネクタ１００を示し、図１（Ａ）は上面図、図１（Ｂ）は側面断面図、図１（Ｃ）は側面外観図である。
医療用コネクタ１００は、全長２０〜２１ｍｍ程度、最大外径１１〜１２mm程度の円筒形状を有し、ポリプロピレン，ポリエチレン，ポリスチレン，ポリカーボネートなどの合成樹脂で形成したコネクタ本体２００と、シリコンゴム，天然ゴムなどの弾性材料で形成した弾性変形可能なバルブステム３００とを備える。
【００１２】
コネクタ本体２００の一端には、メスルアーの外周にロック用のねじを形成したメス型ルアーコネクタ２０１を形成し、他端には、ロックリング付オスルアーからなるオス型ルアーコネクタ２０２を形成してあり、医療用コネクタ１００は、両端それぞれでルアーロック型接続を行うアダプターである。
医療用コネクタ１００において、例えば、オス型ルアーコネクタ２０２に輸液ラインの先端に設けたメス型ルアーコネクタを接続し、メス型ルアーコネクタ２０１にロックリング付オスルアーを有する針なしシリンジなどのオス部品を接続する。
【００１３】
ここで、メス型ルアーコネクタ２０１にオス部品を接続することで、バルブステム３００が弾性変形して、医療用コネクタ１００内の液体通路が開き、オス部品として針なしシリンジを接続すれば、針なしシリンジによる液体の注入又は抽出が可能になる。一方、メス型ルアーコネクタ２０１に接続したオス部品を解放すると、バルブステム３００が元に戻って医療用コネクタ１００内の液体通路を閉じ、液体を、医療用コネクタ１００内でシールする。
【００１４】
図２は、医療用コネクタ１００の分解図であり、図２に示すように、コネクタ本体２００は、メス型ルアーコネクタ２０１側のメス側部品２１０と、オス型ルアーコネクタ２０２側のオス側部品２３０との２部品からなる。メス側部品２１０は、一端にメス型ルアーコネクタ２０１を備え、他端側を、オス側部品２３０を嵌合させる解放端とした筒状部材である。
メス型ルアーコネクタ２０１は、オスルアーを嵌合させる嵌合孔であるルアーテーパ状部（メスルアー部）２１１を内周とし、外周にルアーロック用のオスねじ２１２を形成した第１筒状部２１３を備える。
【００１５】
第１筒状部２１３に対してより外径が大きい第２筒状部２１４は、ルアーテーパ状部２１１に連続するバルブステム収容空間を形成する。第２筒状部２１４内の中空部は、ルアーテーパ状部２１１の端縁の内径と同じ内径からオス型ルアーコネクタ２０２に向けて徐々に内径を拡大させる拡径部２１６、拡径部２１６の最大内径よりも大きな内径を有してバルブステム３００の中空本体３０１をその内側に収容する収容部２１７、収容部２１７よりも大きな内径を有し、内側にオス側部品２３０の解放端を嵌合させる嵌合部２１８を備えている。
【００１６】
嵌合部２１８の軸方向の中間には、オス側部品２３０の解放端外周に形成したリング状突起部２３６が嵌合する溝２１８ａを全周に亘って凹陥形成してある。
ここで、拡径部２１６と収容部２１７との境界部分、及び、収容部２１７と嵌合部２１８との境界部分には、内径をステップ的に拡大させたことで、オス型ルアーコネクタ２０２側に向く環状のステップ面２１９，２２０を形成する。
【００１７】
一方、オス側部品２３０は、一端にオス型ルアーコネクタ２０２を備え、他端側を、メス側部品２１０に嵌合する解放端とした筒状部材である。
オス型ルアーコネクタ２０２は、メスルアーに嵌合するオスルアー２３１と、オスルアー２３１を囲み、内周にルアーロック用のメスねじ２３２を形成した第１筒状部２３３とを備える、ロックリング付オスルアーである。
【００１８】
メス型ルアーコネクタ２０１のオスねじ２１２、及び、オス型ルアーコネクタ２０２のメスねじ２３２は、共通規格の多条ねじ（例えば、ねじ規格ＩＳＯ５９４−２：１９９８（Ｅ）に対応する、２．５mmピッチの２条右ねじ）であり、ルアーテーパ状部２１１及びオスルアー２３１は、共通規格（例えば、ルアー規格ＩＳＯ５９４／１：１９８６）に対応し、共通規格のオス部品・メス部品を脱着可能に接続できる互換性を有している。
第１筒状部２３３の外周には、ロックリングの締め付け作業における滑り止めとして、軸方向に沿って延設した突起部２３４を、全周に亘って複数形成してある。
【００１９】
第１筒状部２３３に連続して、メス側部品２１０の嵌合部２１８内に嵌合する第２筒状部２３５を設けてあり、この第２筒状部２３５の外径は、メス側部品２１０の嵌合部２１８の内径よりも僅かに小さい値に設定してあり、更に、第２筒状部２３５の外周には、メス側部品２１０とオス側部品２３０との軸方向の嵌合代が所定値になったときに、メス側部品２１０の溝２１８ａに嵌合するリング状突起部２３６を突出形成してある。
また、オスルアー２３１の基端部には、第２筒状部２３５の内周に接続するフランジ２３７を形成してあり、このオスルアー２３１の基端部を構成するフランジ２３７は、オスルアー２３１と第１筒状部２３３とが囲む環状空間と、コネクタ本体２００内のバルブステム３００の収容空間、換言すれば、液体通路とを隔成する。
【００２０】
更に、フランジ２３７の第２筒状部２３５側の面（裏面）には、オスルアー２３１の中空部２３１ａ（液体通路）に連続する中空部２３８ａを有し、メス型ルアーコネクタ２０１に向けて延びる筒状のバルブ嵌合部（筒状嵌合部）２３８を立設させてある。
メス型ルアーコネクタ２０１及びオス型ルアーコネクタ２０２、更に、バルブ嵌合部２３８は、コネクタ本体２００の軸と同一軸上に設けてある。
バルブ嵌合部２３８の外径は、バルブステム３００の中空本体３０１の中空部３０１ａ内に嵌合する径に設定してあり、バルブ嵌合部２３８の高さは、中空部３０１ａの軸方向長さよりも短く設定してある。
【００２１】
また、バルブステム３００は、図３に示すように、中空本体３０１の一端に、スリット３０３を有した円板状の弁頭部３０２を備えている
弁頭部３０２の径は、メス型ルアーコネクタ２０１のルアーテーパ状部２１１（液体通路）に嵌合してルアーテーパ状部２１１を閉塞するように設定してあり、かつ、弁頭部３０２をルアーテーパ状部２１１に嵌合した状態で、スリット３０３は閉状態を保持するようにしてある。
【００２２】
また、中空本体３０１の基端側外周を、軸方向に沿って波打つ波型に形成してあり、中空本体３０１を軸方向に押し潰すような荷重が弁頭部３０２に加わると、この波型部分３０１ｂの谷部と山部との連なりを畳むように弾性変形して潰れるようにしてある。
換言すれば、波型部分３０１ｂを設けることで、バルブステム３００に軸方向の荷重が加わったときに、中空本体３０１が途中で折れたりすることなく、軸方向に沿って潰れるようにしてある。
【００２３】
前述のメス側部品２１０、オス側部品２３０、バルブステム３００の３部品を組み付けて医療用コネクタ１００を組み立てる場合には、まず、オス側部品２３０のバルブ嵌合部２３８に、バルブステム３００を被せるようにして、バルブ嵌合部２３８の外側にバルブステム３００の中空部３０１ａを嵌合させ、中空本体３０１の中空部３０１ａ内にバルブ嵌合部２３８を嵌挿する。
このとき、中空本体３０１の解放端側は、オス側部品２３０の第２筒状部２３５の内周と、バルブ嵌合部２３８の外周とで囲まれる環状空間に嵌挿され、かつ、中空本体３０１の解放側の端面が、フランジ２３７の第２筒状部２３５側の面（裏面）に当たる位置まで押し込むことで、軸方向の位置決めがなされる。
【００２４】
ここで、バルブ嵌合部２３８の中空部２３８ａは、オス型ルアーコネクタ２０２の液体通路（中空部２３１ａ）に連続する液体通路を構成するから、オス側部品２３０にバルブステム３００を組み付けた状態で、前記オスルアー２３１の中空部２３１ａからバルブステム３００の中空部３０１ａに至る液体通路を確保できる。
オス側部品２３０に対してバルブステム３００を組み付けると、次いで、メス側部品２１０の第２筒状部２１４の内側に、オス側部品２３０の第２筒状部２３５を嵌合させるようにし、メス側部品２１０側に設けた溝２１８ａに、オス側部品２３０側に設けたリング状突起部２３６が嵌合する位置まで押し込み、溝２１８ａとリング状突起部２３６との嵌合によってオス側部品２３０とメス側部品２１０とを所期の嵌合位置で仮止めする。
【００２５】
その後、超音波溶着や接着剤などによって、第２筒状部２１４と第２筒状部２３５との隙間をシールするようにしてオス側部品２３０とメス側部品２１０とを一体化させる。
オス側部品２３０とメス側部品２１０とを組み付けると、バルブステム３００の弁頭部３０２は、スリット３０３が閉じた状態でメス型ルアーコネクタ２０１のルアーテーパ状部２１１に嵌合し、ルアーテーパ状部２１１（液体通路）を閉塞する。
【００２６】
上記のように、医療用コネクタ１００は、メス型ルアーコネクタ２０１にオス部品を接続していない状態では、バルブステム３００の弁頭部３０２がメス型ルアーコネクタ２０１側の液体通路を閉塞するため、医療用コネクタ１００で液体をシールすることができる。
一方、メス型ルアーコネクタ２０１に対して、図４に示すように、ロックリング付オスルアー４０１を有する針なしシリンジなどのオス部品４００を接続すると、オスルアー４０１の先端がバルブステム３００の弁頭部３０２を押すことで、バルブステム３００がフランジ２３７を固定端として軸方向に弾性変形して潰れ、弁頭部３０２がオス型ルアーコネクタ２０２側に変位する。
【００２７】
弁頭部３０２がルアーテーパ状部２１１よりも内径が大きい拡径部２１６に至ると、弁頭部３０２の圧迫が緩み、弁頭部３０２の径が大きくなる方向の弾性変形が可能な状態になり、このとき、オスルアー４０１の先端がスリット３０３を押し開き、スリット３０３を押し開きながらオスルアー４０１がバルブステム３００を更に潰す。
そして、最終的には、図４に示すように、ルアーテーパ状部２１１にオスルアー４０１が嵌合すると共に、スリット３０３にオスルアー４０１の先端が嵌挿され、オスルアー４０１の中空部４０１ａ，スリット３０３，バルブステム３００の中空部３０１ａ、バルブ嵌合部２３８の中空部２３８ａ及びオス型ルアーコネクタ２０２を構成するオスルアー２３１の中空部２３１ａが、空間として連続し、係る連続空間を液体通路として液体の流通が可能になる。
【００２８】
一方、オス部品４００（針なしシリンジ）のメス型ルアーコネクタ２０１に対する接続を解くと、オスルアー４０１の先端の退避に応じてバルブステム３００の潰れが徐々に戻り、スリット３０３にオスルアー４０１の先端が嵌挿された状態の弁頭部３０２が拡径部２１６に引っ掛かることで、オスルアー４０１の先端がスリット３０３から抜けてスリット３０３が閉じ、弁頭部３０２の径が弾性力によって元に戻ろうとして萎むと共に、バルブステム３００の軸方向の潰れを元に戻そうとする弾性力によって、弁頭部３０２がルアーテーパ状部２１１に向けて変位し、弁頭部３０２がスリット３０３を閉じた状態でルアーテーパ状部２１１（液体通路）に嵌合し、バルブステム３００がルアーテーパ状部２１１（液体流路）を遮断する状態に戻る。
【００２９】
上記の医療用コネクタでは、コネクタ本体２００とバルブステム３００との２部品で構成するので、部品点数が少なく、また、メス型ルアーコネクタ２０１とオス型ルアーコネクタ２０２との間に、直線的に延びる液体流路を形成する構成であるため、各部品の構造が簡単で、各部品の作製及び医療用コネクタの組み立てを容易に行える。
また、液体流路の開閉を行うバルブステム３００の解放端内に、液体流路を構成する筒状嵌合部であるバルブ嵌合部２３８を嵌挿させ、更に、バルブステム３００の解放端面をバルブ嵌合部２３８の外周に設けたフランジ２３７に当接させるので、組み立て時におけるバルブステム３００の位置決め及び液体流路の確保を容易に行える。
更に、オス部品４００をメス型ルアーコネクタ２０１に接続させ、バルブステム３００が潰れたときに、バルブステム３００の解放端が液体流路を狭める方向に弾性変形することを、バルブ嵌合部２３８によって防ぐことができる。
【００３０】
尚、上記実施形態では、バルブステム３００が軸方向に潰れ易くなるように、中空本体３０１の外周に波型部分３０１ｂを設けたが、波型部分３０１ｂに代えて、中空本体３０１の周壁の内側及び外側が軸方向に凹凸を繰り返す蛇腹状に形成したり、また、中空本体３０１の外周に単独又は複数の切り欠きを設けたりすることができ、更に、波型部分、蛇腹、切り欠きのうちの複数を組み合わせて設けても良い。
また、荷重が加わらない状態でのバルブステム３００の弁頭部３０２の外形が楕円となるようにし、かつ、前記楕円の短手方向に沿って形成した前記スリットが、荷重が加わらない状態で開状態を保持し、メス型ルアーコネクタ２０１のルアーテーパ状部（メスルアー部）２１１に弁頭部３０２を嵌合したときに、楕円の長手方向が圧迫されて弁頭部３０２が円形に弾性変形することで、前記スリットが閉じられるよう構成することができる。
【符号の説明】
【００３１】
１００…医療用コネクタ、２００…コネクタ本体、２０１…メス型ルアーコネクタ、２０２…オス型ルアーコネクタ、２１０…メス側部品、２３０…オス側部品、２３７…フランジ、２３８…バルブ嵌合部（筒状嵌合部）、３００…バルブステム、３０１…中空本体、３０２…弁頭部、３０３…スリット、４００…オス部品
【図１】
2011172615.tif 000003
【図２】
2011172615.tif 000004
【図３】
2011172615.tif 000005
【図４】
2011172615.tif 000006